(57)【要約】【課題】長期に亘って防水性を維持することが出来る屋外設置用電子機器を提供する。【解決手段】本発明に係る屋外設置用電子機器においては、一対のケース部材を互いに接合してなる筐体１の内部に電子回路が収容され、一対のケース部材の合わせ面間には防水パッキン４が介在しており、防水パッキン４に内蔵されて熱を発生することが可能な発熱体と、該発熱体に電力を供給して熱を発生させる電源６と、筐体１の設置空間における降雨を検出する降雨センサー５と、前記降雨センサーによる降雨の検出に応じて、電源６から発熱体への電力の供給を制御する制御装置７とを具えている。【選択図】図５
2012114177.tif 000002
【特許請求の範囲】
【請求項１】
一対のケース部材を互いに接合してなる筐体の内部に電子回路が収容され、前記一対のケース部材の合わせ面間には防水パッキンが介在している屋外設置用電子機器において、
前記防水パッキンに内蔵されて熱を発生することが可能な発熱体と、
前記発熱体に電力を供給して熱を発生させる電源と、
前記筐体の設置空間における降雨を検出する降雨センサーと、
前記降雨センサーによる降雨の検出に応じて、前記電源から発熱体への電力の供給を制御する制御装置
とを具えたことを特徴とする屋外設置用電子機器。
【請求項２】
前記防水パッキンは中空パッキンであって、前記発熱体は、前記防水パッキンの中空部に収容された電熱線によって構成されている請求項１に記載の屋外設置用電子機器。
【請求項３】
前記制御装置は、前記降雨センサーによって降雨が検出された時点で、前記電源から発熱体への電力の供給を開始し、前記降雨センサーによって降雨が検出されなくなった後、一定時間経過後に、前記電源から発熱体への電力の供給を停止する請求項１又は請求項２に記載の屋外設置用電子機器。
【請求項４】
前記筐体の少なくとも上面には、複数の放熱フィンが突設されており、前記降雨センサーは、隣接する２つの放熱フィンの間に、該放熱フィンの突設高さよりも小さな高さで、筐体の上面に突設されている請求項１乃至請求項３の何れかに記載の屋外設置用電子機器。
【発明の詳細な説明】
【技術分野】
【０００１】
本発明は、防水構造を有する筐体の内部に電子回路を収容してなる屋外設置用電子機器に関するものである。
【背景技術】
【０００２】
携帯電話機の電波を中継する基地局は、防水構造を有する筐体の内部に、電波の中継や割り当てに必要な電子回路や電源を収容して構成され、屋外に設置される。
【０００３】
防水構造を有する筐体は、一般に下ケース部材と上ケース部材とを互いに接合して構成され、両ケース部材の合わせ面間には、防水パッキンを介在させて、防水性を確保している。
【０００４】
又、この様な屋外設置用の電子機器においては、筐体に設けられた通気部から外気が浸入し、この外気中の水分が筐体内で結露して、筐体内に水が溜まることがあるため、この水を筐体の外部へ排出する弁機構を具えた屋外設置用筐体が提案されている(例えば特許文献１)。
【先行技術文献】
【特許文献】
【０００５】
【特許文献１】特開平６−７７６６９号公報
【発明の概要】
【発明が解決しようとする課題】
【０００６】
ところで、従来の屋外設置用電子機器においては、筐体を構成する下ケース部材と上ケース部材の少なくとも何れか一方の合わせ面に、防水パッキンを収容すべき溝が凹設されているため、降雨時にこの溝に水が溜まる虞がある。そして、この水が原因で筐体に錆が発生し、これによって防水性が低下する問題があった。
【０００７】
そこで本発明の目的は、長期に亘って防水性を維持することが出来る屋外設置用電子機器を提供することである。
【課題を解決するための手段】
【０００８】
本発明に係る屋外設置用電子機器においては、一対のケース部材を互いに接合してなる筐体の内部に電子回路が収容され、前記一対のケース部材の合わせ面間には防水パッキンが介在しており、
前記防水パッキンに内蔵されて熱を発生することが可能な発熱体と、
前記発熱体に電力を供給して熱を発生させる電源と、
前記筐体の設置空間における降雨を検出する降雨センサーと、
前記降雨センサーによる降雨の検出に応じて、前記電源から発熱体への電力の供給を制御する制御装置
とを具えている。
【０００９】
上記本発明の屋外設置用電子機器においては、降雨によって、防水パッキンの収容部に水が溜まることがあるが、降雨時には、防水パッキンに内蔵された発熱体が熱を発生するので、該防水パッキンの周囲の温度が上昇し、その結果、防水パッキンの収容部に溜まっている水が熱を受けて蒸発することになる。
【００１０】
尚、発熱体が発生する熱は、熱伝導によって筐体を伝わり、筐体の内部を加熱する熱源となり得るが、降雨時には、筐体の表面が雨水によって冷却されるので、筐体内部の温度上昇は抑制される。従って、筐体内部の電子部品が熱の影響を受けて損傷したり、誤動作を生じたりすることはない。
【００１１】
具体的態様において、前記防水パッキンは中空パッキンであって、前記発熱体は、前記防水パッキンの中空部に収容された電熱線によって構成されている。
該具体的態様によれば、防水パッキンの収容部が全長に亘って均一に加熱されるので、防水パッキンの収容部に溜まっている水の蒸発が一部に偏ることはない。
【００１２】
他の具体的態様において、前記制御装置は、前記降雨センサーによって降雨が検出された時点で、前記電源から発熱体への電力の供給を開始し、前記降雨センサーによって降雨が検出されなくなった後、一定時間経過後に、前記電源から発熱体への電力の供給を停止する。
該具体的態様によれば、降雨センサーによって降雨が検出されなくなった後も、一定時間は発熱体から熱が発生するので、防水パッキンの収容部に溜まっている水の殆どが蒸発することになる。
【００１３】
更に具体的な態様において、前記筐体の少なくとも上面には、複数の放熱フィンが突設されており、前記降雨センサーは、隣接する２つの放熱フィンの間に、該放熱フィンの突設高さよりも小さな高さで、筐体の上面に突設されている。
該具体的態様によれば、降雨センサーは、その両側に突設されている２つの放熱フィンよりも低く突出しているに過ぎないので、筐体の上面へ異物が落下した場合、該異物は２つの放熱フィンの先端部によって受け止められ、降雨センサーには衝突しない。これによって降雨センサーの破損が防止される。
又、降雨時には、雨水が前記２つの放熱フィンの間に一時的に溜まることになるので、その溜まった雨水に降雨センサーが感応することにより、確実に降雨が検知されることになる。
【発明の効果】
【００１４】
本発明に係る屋外設置用電子機器によれば、雨水に起因する筐体の錆の発生が抑制されるので、長期に亘って筐体の防水性を維持することが出来る。
【図面の簡単な説明】
【００１５】
【図１】図１は、本発明の一実施形態である基地局の斜視図である。
【図２】図２は、該基地局の平面図である。
【図３】図３は、該基地局を構成する筐体の断面図である。
【図４】図４は、該基地局の要部を拡大して示す断面図である。
【図５】図５は、該基地局の電気的な構成を示す図である。
【図６】図６は、降雨センサーの取り付け状態を示す上ケース部材の断面図である。
【発明を実施するための形態】
【００１６】
以下、本発明を携帯電話機の基地局に実施した形態につき、図面に沿って具体的に説明する。
本発明の一実施形態である基地局は、図１に示す如く、それぞれアルミニウム製の下ケース部材(２)と上ケース部材(３)とを互いに接合してなる筐体(１)を具え、該筐体(１)の内部には、電波の中継や割り当てに必要な電子回路や電源(図示省略)が収容されている。
【００１７】
下ケース部材(２)及び上ケース部材(３)の表面にはそれぞれ、複数の放熱フィン(21)(31)が突設されている。
又、下ケース部材(２)と上ケース部材(３)の外周部にはそれぞれ、複数のフランジ(23)(33)が突設され、下ケース部材(２)のフランジ(23)と上ケース部材(３)のフランジ(33)とを互いにビス(図示省略)により締結して、下ケース部材(２)と上ケース部材(３)とを互いに強固に接合している。
【００１８】
下ケース部材(２)と上ケース部材(３)との間には、筐体(１)の内部空間Ｓを包囲して、ループ状の防水パッキン(４)が介在しており、前述の如く下ケース部材(２)のフランジ(23)と上ケース部材(３)のフランジ(33)とを互いにビス(図示省略)により締結することによって、下ケース部材(２)と上ケース部材(３)の間に防水パッキン(４)を挟圧して、筐体(１)の防水性を確保している。
【００１９】
具体的には、図４に示す如く下ケース部材(２)の合わせ面(20)と上ケース部材(３)の合わせ面(30)とが互いに突き合わされ、下ケース部材(２)の合わせ面(20)に、防水パッキン(４)を収容すべき溝(22)が凹設されている。
【００２０】
防水パッキン(４)は、例えばシリコンゴム製の中空パッキンであって、防水パッキン(４)の中空部には、電熱線(42)が略全長に亘って内蔵されている(図５参照)。
【００２１】
筐体(１)の内部には、図５に示す如く、防水パッキン(４)に内蔵された電熱線(42)に通電すべき電源(６)と、該電源(６)の通電を制御する制御装置(７)とが収容されている。
又、筐体(１)の表面には、降雨を検出する降雨センサー(５)が設置されており、降雨センサー(５)の検出信号は、制御装置(７)へ入力されて、制御装置(７)による電源(６)への通電の制御に供される。
【００２２】
具体的には、降雨センサー(５)は、図６に示す様に、上ケース部材(３)に互いに隣接して突設されている２つの放熱フィン(31)(31)の間に、該放熱フィンの突設高さＨよりも小さな高さｈだけ頭部を突出させて、上ケース部材(３)に取り付けられている。
【００２３】
従って、上ケース部材(３)へ向けて異物が落下した場合、該異物は２つの放熱フィン(31)(31)によって受け止められ、降雨センサー(５)には衝突しない。これによって降雨センサー(５)の破損が防止される。
又、降雨時には、雨水が２つの放熱フィン(31)(31)の間に一時的に溜まることになるので、その溜まった雨水の水位が降雨センサー(５)の感応部よりも上昇することにより、降雨が確実に検出される。
【００２４】
降雨センサー(５)によって降雨が検出されると、制御装置(７)は、電源(６)に対して通電の開始を指令し、その後、降雨センサー(５)によって降雨が検出されなくなったとき、一定時間経過後に、制御装置(７)は、電源(６)に対して通電の停止を指令する。
【００２５】
上記基地局においては、降雨によって、防水パッキン(４)が収容されている下ケース部材(２)の溝(22)に水が溜まることがあるが、降雨時には、防水パッキン(４)に内蔵された電熱線(42)が通電によってジュール熱を発生するので、この熱によって防水パッキン(４)の周囲の温度が上昇し、その結果、溝(22)に溜まっている水が蒸発することになる。
【００２６】
ここで、防水パッキン(４)は、下ケース部材(２)の溝(22)を略全長に亘って延びているので、溝(22)に溜まっている水は均一に加熱されて、その全体が蒸発する。
【００２７】
尚、防水パッキン(４)の電熱線(42)が発生するジュール熱は、熱伝導によって筐体(１)を伝わり、筐体(１)の内部を加熱する熱源となり得るが、降雨時には、筐体(１)の表面が雨水によって冷却されるので、筐体(１)内部の温度上昇は抑制される。従って、筐体(１)内部の電子部品が熱の影響を受けて損傷したり、誤動作を生じたりすることはない。
【００２８】
上記基地局によれば、雨水に起因する筐体(１)の錆の発生が抑制されるので、長期に亘って筐体(１)の防水性を維持することが出来る。
【００２９】
本発明の各部構成は上記実施の形態に限らず、特許請求の範囲に記載の技術的範囲内で種々の変形が可能である。又、本発明は、基地局に限らず、防水構造を有する筐体の内部に電子部品を収容した種々の屋外設置用電子機器に実施することが出来る。
【符号の説明】
【００３０】
(１)  筐体
(２)  下ケース部材
(20)  合わせ面
(21)  放熱フィン
(22)  溝
(３)  上ケース部材
(30)  合わせ面
(31)  放熱フィン
(４)  防水パッキン
(41)  中空パッキン部材
(42)  電熱線
(５)  降雨センサー
(６)  電源
(７)  制御装置
【図１】
2012114177.tif 000003
【図２】
2012114177.tif 000004
【図３】
2012114177.tif 000005
【図４】
2012114177.tif 000006
【図５】
2012114177.tif 000007
【図６】
2012114177.tif 000008